(57)【要約】【課題】手術中のドクターに対する吸気ノイズの影響を低減させることができる手術顕微鏡装置のドレープ排気構造を提供する。【解決手段】排気ポンプ手段１７を始動させてから少なくとも密着時間Ｔ１を含む始動時間Ｔ２の間は第１排気速度ＡでドレープＰ内を吸引し続けるため、ドレープＰを確実に密着状態にすることができる。始動時間Ｔ２経過後は第１排気速度Ａよりも低い第２排気速度ＢでドレープＰ内を吸引するため、吸気ノイズが低くなりドクターは気にならない。【選択図】        図１
2018134353.tif 000002
【特許請求の範囲】
【請求項１】
フロアに設置されたスタンド本体の上部から横方向に延びる横アームが形成され、該横アームの先端に手術顕微鏡を支持すると共に、少なくとも手術顕微鏡と横アームの先端側がドレープにより覆われ、スタンド本体に組み付けた排気ポンプ手段によりドレープ内の空気を排気してドレープを手術顕微鏡及び横アームに密着させる手術顕微鏡装置のドレープ排気構造であって、
前記排気ポンプ手段には、排気ポンプ手段を始動させてから第１排気速度で作動し続けてドレープが密着するまでに要する密着時間以上の長さを有する始動時間が予め設定され且つ該始動時間に基づいて排気ポンプ手段の排気速度を制御する制御部が備えられ、
該制御部が、始動時間は第１排気速度で排気ポンプ手段を作動させ、始動時間が経過した後は第１排気速度より低い第２排気速度で排気ポンプ手段を作動させることを特徴とする手術顕微鏡装置のドレープ排気構造。
【請求項２】
第２排気速度が第１排気速度の半分以下であることを特徴とする請求項１記載の手術顕微鏡装置のドレープ排気構造。
【請求項３】
手術顕微鏡装置は、スタンド本体に対して２本の平行な前アームと後アームを含む平行リンク機構が前アームの途中に設定された回転軸を中心に前後傾動自在に取付けられ、該平行リンク機構の上部が前方へ延長形成された横アームの基端部により構成され、該横アームの先端側に手術顕微鏡が支持され、横アームは中空構造であって該横アームの先端側には吸気口が且つ基端部には接続口が形成された構造であって、
排気ポンプ手段は、接続口内に挿入される吸気管を上部に且つ排気口を下端に有する排気管を下部に備えた構造で、平行リンク機構の後アーム又は前アームのいずれかに取付けられていることを特徴とする請求項１又は請求項２記載の手術顕微鏡装置のドレープ排気構造。
【請求項４】
排気ポンプ手段を後アームに取付けたことを特徴とする請求項３記載の手術顕微鏡装置のドレープ排気構造。
【請求項５】
横アームの基端部における接続口の周辺部がカバーとして取り外し自在であることを特徴とする請求項３又は請求項４記載の手術顕微鏡装置のドレープ排気構造。
【発明の詳細な説明】
【技術分野】
【０００１】
本発明は手術顕微鏡装置のドレープ排気構造に関する。
【背景技術】
【０００２】
脳神経外科手術等において使用される手術顕微鏡は、フロアに設置されたスタンド本体の上部から横方向に延びる横アームの先端に支持されて使用される。少なくとも手術顕微鏡とそれを支持する横アームの先端側は無菌状態にするためにドレープにて覆われる。
【０００３】
ドレープは垂れ下がるとドクターやアシスタントの視界を妨げるため、スタンド本体に設置された排気ポンプ手段によりドレープ内の空気を吸引してドレープを手術顕微鏡や横アームに密着させている。スタンド本体に設置された排気ポンプ手段は始動させてから早くドレープを密着させたいため、その排気速度は比較的高めに設定されている（例えば、特許文献１参照）。
【先行技術文献】
【特許文献】
【０００４】
【特許文献１】特許第２９８８９８０号公報
【発明の概要】
【発明が解決しようとする課題】
【０００５】
しかしながら、このような従来の技術にあっては、排気ポンプ手段の排気速度が比較的高めに設定されているため、排気ポンプ手段を作動させると大きな吸気ノイズが発生する。この吸気ノイズは手術中ずっと発生しているため、手術中のドクターはその吸気ノイズが気になる。
【０００６】
本発明は、このような従来の技術に着目してなされたものであり、手術中のドクターに対する吸気ノイズの影響を低減させることができる手術顕微鏡装置のドレープ排気構造を提供することを目的としている。
【課題を解決するための手段】
【０００７】
本発明の第１の技術的側面によれば、フロアに設置されたスタンド本体の上部から横方向に延びる横アームが形成され、該横アームの先端に手術顕微鏡を支持すると共に、少なくとも手術顕微鏡と横アームの先端側がドレープにより覆われ、スタンド本体に組み付けた排気ポンプ手段によりドレープ内の空気を排気してドレープを手術顕微鏡及び横アームに密着させる手術顕微鏡装置のドレープ排気構造であって、前記排気ポンプ手段には、排気ポンプ手段を始動させてから第１排気速度で作動し続けてドレープが密着するまでに要する密着時間以上の長さを有する始動時間が予め設定され且つ該始動時間に基づいて排気ポンプ手段の排気速度を制御する制御部が備えられ、該制御部が、始動時間は第１排気速度で排気ポンプ手段を作動させ、始動時間が経過した後は第１排気速度より低い第２排気速度で排気ポンプ手段を作動させることを特徴とする。
【０００８】
本発明の第２の技術的側面によれば、第２排気速度が第１排気速度の半分以下であることを特徴とする。
【０００９】
本発明の第３の技術的側面によれば、手術顕微鏡装置は、スタンド本体に対して２本の平行な前アームと後アームを含む平行リンク機構が前アームの途中に設定された回転軸を中心に前後傾動自在に取付けられ、該平行リンク機構の上部が前方へ延長形成された横アームの基端部により構成され、該横アームの先端側に手術顕微鏡が支持され、横アームは中空構造であって該横アームの先端側には吸気口が且つ基端部には接続口が形成された構造であって、排気ポンプ手段は、接続口内に挿入される吸気管を上部に且つ排気口を下端に有する排気管を下部に備えた構造で、平行リンク機構の後アーム又は前アームのいずれかに取付けられていることを特徴とする。
【００１０】
本発明の第４の技術的側面によれば、排気ポンプ手段を後アームに取付けたことを特徴とする。
【００１１】
本発明の第５の技術的側面によれば、横アームの基端部における接続口の周辺部がカバーとして取り外し自在であることを特徴とする。
【発明の効果】
【００１２】
本発明の第１の技術的側面によれば、排気ポンプ手段を始動させてから少なくとも密着時間を含む始動時間の間は第１排気速度でドレープ内を吸引し続けるため、ドレープを確実に密着状態にすることができる。始動時間経過後は第１排気速度よりも低い第２排気速度でドレープ内を吸引する。密着時間経過後に直ちに第２排気速度に切り替えても良いが、ドレープ自体や吸引構造にドレープの密着を遅らせる不測の要因が存在するかもしれないので、密着時間を少し経過してから第２排気速度に切り替えても良い。始動時間の間の吸引によりドレープはすでに密着状態となっており、第２排気速度はドレープの密着状態を維持するだけで良いため、第１排気速度よりも低く設定されている。第２排気速度による作動中は排気速度が低いため発生する吸気ノイズも低くドクターの気にならない。
【００１３】
本発明の第２の技術的側面によれば、第２排気速度が第１排気速度の半分以下であるため、吸気ノイズも半分以下となり確実に吸気ノイズが気にならなくなる。
【００１４】
本発明の第３の技術的側面によれば、排気ポンプ手段が平行リンク機構の後アーム又は前アームのいずれかに取付けられ外部に露出しているため、修理や保守を行う際にはスタンド本体から排気ポンプ手段を取り外して作業を行うことができ、メンテナンス作業が容易である。
【００１５】
請求項４記載の特徴によれば、排気ポンプ手段が後アームに取付けられているため、排気ポンプ手段の重さが手術顕微鏡の重量を相殺する方向に作用し、スタンド本体の全体的な重量均衡をとるためのカウンタウェイトを小型化できる。
【００１６】
請求項５記載の特徴によれば、横アームの基端部における接続口の周辺部がカバーとして取り外し自在であるため、排気ポンプ手段の吸気管を予めカバーの接続口に挿入しておき、そのカバーの取付けと同時に排気ポンプ手段を取付けることで、吸気管の横アーム内部への挿入作業を容易に行うことができる。
【図面の簡単な説明】
【００１７】
【図１】本発明の実施形態に係る手術顕微鏡装置を示す側面図。
【図２】排気ポンプ手段の取付け状態を示す斜視図。
【図３】横アームの先端付近を示す斜視図。
【図４】排気速度と時間の関係を示すグラフ。
【発明を実施するための形態】
【００１８】
本発明の好適な実施形態を図１〜図４に基づいて説明する。尚、以上及び以下において前後方向とは図１に記載された通りである。
【００１９】
スタンド本体１は手術室内で手術顕微鏡２を吊り下げて使用するためのものである。スタンド本体１には前アーム３と後アーム４を含む縦方向での平行リンク機構Ｒが、前アーム４の途中に設定された回転軸５を中心に前後傾倒自在に支持されている。
【００２０】
この平行リンク機構Ｒの下部にはカウンタウェイトＷが設けられている。平行リンク機構Ｒの上部からは前方に向けて横アーム６が延びている。横アーム６の先端には先端アーム７の下端が軸支され、その下方に吊下げアーム８を介して手術顕微鏡２が支持されている。
【００２１】
横アーム６の前アーム３に対する軸支点９には基端アーム１０の下端が軸支されている。基端アーム１０は前アーム３内の図示せぬ別の平行リンク機構により常に垂直が維持される。この基端アーム１０と先端アーム７の上端同士はサブアーム１１にて連結される。これにより横アーム６を軸支点９を中心にして上下に回動させても先端アーム７の垂直状態が維持される。
【００２２】
横アーム６は金属製の円筒形状で上側に湾曲している。上側に湾曲しているのは下側の作業スペースを確保するためである。横アーム６の両端は鋳物製の中空部材１２、１３で形成されている。横アーム６はこれら中空部材１２、１３も構造として含んだ状態で全体として中空である。中空部材１２の前アーム３より後方部分は平行リンク機構Ｒの一部を構成し、横アーム６は平行リンク機構Ｒと連動する。
【００２３】
横アーム６の先端の中空部材１３には吸気口１４が開口形成されている。後側の中空部材１２は基端アーム１０より後側が別部品のカバー１５として取付け自在になっている。このカバー１５には接続口１６が開口形成されている。
【００２４】
スタンド本体１では手術顕微鏡２から横アーム６を含む必要部分がそれらを無菌状態にするためのドレープＰにて覆われる。この際横アーム６や手術顕微鏡２を覆う部分のドレープＰが下側に垂れ下がると、ドクターやアシスタント等の視野を邪魔するため、ドレープＰを横アーム６や手術顕微鏡２に密着させる必要がある。
【００２５】
そのため中空構造の横アーム６を通気路として先端の吸気口１４からドレープＰ内の空気Ｅを吸引する。吸引は排気ポンプ手段１７により行われる。この排気ポンプ手段１７はドレープＰを被せる前に取付けておく。
【００２６】
排気ポンプ手段１７はポンプを内蔵した縦長形状で、その上部に設けられた可撓性を有する吸気管１８と、その下部に設けられたストレート管形状の排気管１９を備えた構造を有している。排気管１９の下端は排気口２０になっている。排気ポンプ手段１７の一部にはスイッチ２１が設けられている。この排気ポンプ手段１７の図示せぬ電源コードはスタンド本体１の電源に接続されている。排気ポンプ手段１７はスイッチ２１を押すことにより作動し始め、次にスイッチ２１を押した時に停止する。排気ポンプ手段１７はスタンド本体１の下部に設けられた制御部２３に接続されている。制御部２３は排気ポンプ手段１７の排気速度を制御するためのもので、スイッチ２１を押して作動させた後は排気ポンプ手段１７の排気速度は制御部２３により制御される。
【００２７】
まず排気ポンプ手段１７の取付け方を説明する。まずカバー１５を外し、その接続口１６に排気ポンプ手段１７の吸気管１８を挿入しておく。そしてカバー１５を、その吸気管１８を中空部材１２の内部に露呈している横アーム６の端部内に挿入しながら、中空部材１２に対して取付ける。
【００２８】
カバー１５の取付けと同時に、排気ポンプ手段１７をその排気管１９部分で２つのクランプ２２により後アーム４に取付ける。排気ポンプ手段１７は後アーム４に取付けることにより後アーム４に沿った状態となり、吸気管１８は所定長さ分だけ接続口１６から横アーム６内に挿入された状態となる。このようにカバー１５の取付けと同時に排気ポンプ手段１７を取付けることで、吸気管１８の横アーム６の内部への挿入作業を容易に行うことができる。
【００２９】
この排気ポンプ手段１７を取付けた後に、この排気ポンプ手段１７も含めて前述のようにドレープＰが被せられる。ドレープＰを被せた後に排気ポンプ手段１７のスイッチ２１を押すと、横アーム６内が減圧され、先端の吸気口１４からドレープＰ内の空気Ｅが吸引され、吸引された空気Ｅは横アーム６及び排気ポンプ手段１７を通過して排気管１９の下端の排気口２０からドレープＰの外部へ排出される。
【００３０】
横アーム６の先端の吸気口１４から空気Ｅが吸引されるため、手術顕微鏡２付近及び横アーム６の先端付近のドレープＰが確実に吸引されて密着状態となり、周辺にいる人の視野を邪魔しない。
【００３１】
この排気ポンプ手段１７は制御部２３により制御されており、スイッチ２１を押して作動してから最初の２分間は始動時間Ｔ２として第１排気速度（体積流量）ＡでドレープＰ内を排気し、２分間を経過した後は第１排気速度Ａの半分の第２排気速度ＢでドレープＰ内を排気し続けるように制御される。
【００３２】
この排気ポンプ手段１７は予め同じ構造のスタンド本体１に同じ構造のドレープＰを被せて第１排気速度Ａで排気動作を行ったところ１分間でドレープＰが手術顕微鏡２及び横アーム６に密着することを確認されている。つまりドレープＰの密着に要する密着時間Ｔ１は１分間である。そのため仮にドレープＰ自体や吸引構造にドレープＰの密着を遅らせる何か不測の要因が存在していたとしても、密着時間Ｔ１の２倍の長さの始動時間Ｔ２を第１排気速度Ａで排気することによりドレープＰの密着状態は必ず得られる。
【００３３】
いったんドレープＰが密着状態になると、その後はそれほど大きな排気速度は必要とせず、一般に密着状態を維持するには密着させるための排気速度の約１〜２割で良い。この実施形態では密着状態を確実に維持するために、２分間の始動時間Ｔ２が経過した後は第１排気速度Ａの半分（５割）の第２排気速度Ｂに切り替え、その後はずっと第２排気速度Ｂのままである。排気速度が低い第２排気速度Ｂに切り替えられるため、排気ポンプ手段１７から発生する吸気ノイズも約半分になりドクターはそれが気にならなくなる。なお、第２排気速度Ｂは第１排気速度Ａの半分以下であることが好ましい。
【００３４】
またこの実施形態では、排気ポンプ手段１７が後アーム４に取付けられ、外部に露出しているため、排気ポンプ手段１７の修理や保守を行う際には排気ポンプ手段１７を簡単に取り外して作業を行うことができ、メンテナンス作業が容易である。
【００３５】
また排気ポンプ手段１７自体が平行リンク機構Ｒの回転軸５を中心とした手術顕微鏡２とは反対側の後アーム４に取付けられているため、排気ポンプ手段１７の重さが手術顕微鏡２の重量を相殺する方向に作用し、スタンド本体１の全体的な重量均衡をとるためのカウンタウェイトＷをその分だけ小型化できる。
【００３６】
尚、以上の実施形態では、排気ポンプ手段１７を後アーム４に取付ける例を示したが、前アーム３に取付けても良い。
【符号の説明】
【００３７】
１  スタンド本体
２  手術顕微鏡
３  前アーム
４  後アーム
５  回転軸
６  横アーム
１４  吸気口
１５  カバー
１６  接続口
１７  排気ポンプ手段
１８  吸気管
１９  排気管
２０  排気口
２３  制御部
Ａ  第１排気速度
Ｂ  第２排気速度
Ｔ１  密着時間
Ｔ２  始動時間
Ｒ  平行リンク機構
Ｅ  空気
Ｐ  ドレープ
Ｗ  カウンタウェイト
【図１】
2018134353.tif 000003
【図２】
2018134353.tif 000004
【図３】
2018134353.tif 000005
【図４】
2018134353.tif 000006